(57)【要約】【課題】様々な形状に形成する際の柔軟性があり、ユニット建物の外観を向上できる建物用付帯構造物、およびこの建物用付帯構造物を用いたユニット建物を提供すること。【解決手段】建物用付帯構造物は、４本の枠部材（１１，１１，１２，１３）を口型に剛接合することにより形成した口型垂直フレーム（４）と、少なくとも前記口型垂直フレーム（４）の四隅を前記建物ユニット２の前記１つの立面に連接する接続梁（５，６）と、前期接続梁（５，６）を前記建物ユニット２及び前記口型垂直フレーム（４）にピン接合させるピン状接続部材（１８，２３、２７，２８）を有する。【選択図】  図３
2014163172.tif 000002
【特許請求の範囲】
【請求項１】
ユニット建物を構成する直方体状の建物ユニットの１つの立面に連結されて、該建物ユニットの内部空間を拡大させる建物用付帯構造物であって、
４本の枠部材を口型に剛接合することにより形成した口型垂直フレームと、少なくとも前記口型垂直フレームの四隅を前記建物ユニットの前記１つの立面に連接する接続梁と、前期接続梁を前記建物ユニット及び前記口型垂直フレームにピン接合させるピン状接続部材を有することを特徴とする建物用付帯構造物。
【請求項２】
前記接続梁は、口型垂直フレームと直角に接合する直線梁であることを特徴とする請求項１に記載の建物用付帯構造物。
【請求項３】
前記接続梁は、口型垂直フレームと斜めに接合する直線梁であることを特徴とする請求項１に記載の建物用付帯構造物。
【請求項４】
前記接続梁は、屈曲した梁であることを特徴とする請求項１に記載の建物用付帯構造物。
【請求項５】
前記接続梁は、口型垂直フレームと直角に接合する直線梁と斜めに接合する直線梁であることを特徴とする請求項１に記載の建物用付帯構造物。
【請求項６】
前記接続梁は、口型垂直フレームと直角に接合する直線梁と屈曲した梁であることを特徴とする請求項１に記載の建物用付帯構造物。
【請求項７】
前記口型垂直フレームは五角形型の補強材が設けられたジョイント部材を備え、前記屈曲した接続梁は前記ジョイント部材とピン接合されることを特徴とする請求項６に記載の建物用付帯構造物。
【請求項８】
請求項１〜７のいずれか一つに記載の建物用付帯構造物を使用したことを特徴とするユニット建物。
【発明の詳細な説明】
【技術分野】
【０００１】
本発明は、建物の立面に設けられて内部空間を拡大させる建物用付帯構造物、およびこの建物用付帯構造物を用いたユニット建物に関するものである。
【背景技術】
【０００２】
従来の建物としては、複数の建物ユニットを並設すると共に積み重ねて、複数の建物ユニットの一つの立面に張出ユニットを付帯構造物として接合したユニット建物が知られている（例えば、特許文献１参照）。
【０００３】
また、付帯構造物を建物ユニットに設ける構造としては、２つの縦枠部材と上枠部材及び下枠部材を剛接合して形成した方形状縦枠を一対用いたものが知られている（例えば、特許文献２参照）。この構造では、一対の方形状縦枠を建物ユニットの一立面に対して垂直に配設すると共に、左右に間隔をおいて配設している。そして、各方形状縦枠の２つの縦枠部材の一方を建物ユニットの一立面側の一対の柱に接合し、一対の方形状縦枠の一対の縦枠部材の上下端部を上梁と下梁で連結するようにしている。
【０００４】
更に、付帯構造物を建物ユニットに設ける構造としては、２つの縦枠部材と上枠部材を剛接合して形成した逆Ｕ字状縦枠を一対用いたものが知られている（例えば、特許文献３参照）。この構造では、一対の逆Ｕ字状縦枠を間隔をおいて建物ユニットの一立面に対して垂直に配設すると共に、各逆Ｕ字状縦枠を左右に間隔をおいて配設している。そして、この各逆Ｕ字状縦枠の２つの縦枠部材の一方を建物ユニットの一立面側の左右の柱に接合している。しかも、一対の逆Ｕ字状縦枠の縦枠部材の上端部間および下端部間を上梁と下梁で連結している。
【０００５】
また、側面形状をＬ字状に形成した異形ユニットを付帯構造物として用いて車庫等を形成する構成（例えば、特許文献４参照）が知られている。
【先行技術文献】
【特許文献】
【０００６】
【特許文献１】特開２００３−２６８８８１号公報
【特許文献２】特開２０１０−１８０６０１号公報
【特許文献３】特開２０１１−２３６７２７号公報
【特許文献４】特開平６−２９４２２８号公報
【発明の概要】
【発明が解決しようとする課題】
【０００７】
しかしながら、上述した特許文献１〜４の付帯構造物は、一つの縦枠（垂直フレーム）を用いて形成した構造ではないため、様々な形状に形成するには柔軟性に欠けるものであった。
【０００８】
そこで、この発明は、様々な形状に形成する際の柔軟性があり、ユニット建物の外観を向上できる建物用付帯構造物、およびこの建物用付帯構造物を用いたユニット建物を提供することを目的とするものである。
【課題を解決するための手段】
【０００９】
この目的を達成するために、この発明は、ユニット建物を構成する直方体状の建物ユニットの１つの立面に連結されて、該建物ユニットの内部空間を拡大させる建物用付帯構造物であって、４本の枠部材を口型に剛接合することにより形成した口型垂直フレームと、少なくとも前記口型垂直フレームの四隅を前記建物ユニットの前記１つの立面に連接する接続梁と、前期接続梁を前記建物ユニット及び前記口型垂直フレームにピン接合させるピン状接続部材を有することを特徴とする。
【発明の効果】
【００１０】
この構成によれば、様々な形状の建物用付帯構造物をユニット建物に設ける際の柔軟性があると共に、様々な形状の建物用付帯構造物を建物ユニットに設けることにより、ユニット建物の外観を向上させることができる。
【図面の簡単な説明】
【００１１】
【図１】この発明に係る実施例１の建物用付帯構造物を備えるユニット建物の配置関係を示す概略平面図である。
【図２】図１に示した建物ユニットと建物用付帯構造物の関係を示す斜視図である。
【図３】図２に示した床フレームの平面図である。
【図４】図２に示した屋根フレームの平面図である。
【図５】図２に示した口型垂直フレームの正面図である。
【図６】図５に示した口型垂直フレームの平面図である。
【図７】図５の矢印Ａ１−Ａ１線に沿う断面図である。
【図８】図５の矢印Ｂ１−Ｂ１線に沿う断面図である。
【図９】図３の床フレームの矢印Ａの部分の拡大説明図である。
【図１０】図９を矢印Ａ０方向から見た説明図である。
【図１１】図３の床フレームの矢印Ｂの部分の拡大説明図である。
【図１２】図１１を矢印Ｂ０方向から見た説明図である。
【図１３】図３の床フレームの矢印Ｃの部分の拡大説明図である。
【図１４】図１３を矢印Ｃ０方向から見た説明図である。
【図１５】図３の床フレームの矢印Ｄの部分の拡大説明図である。
【図１６】図１５を矢印Ｄ１−Ｄ１線に沿う断面図である。
【図１７】図４の屋根フレームの矢印Ｅの部分の拡大説明図である。
【図１８】図１７を矢印Ｅ０方向から見た説明図である。
【図１９】図４の屋根フレームの矢印Ｆの部分の拡大説明図である。
【図２０】図２０を矢印Ｆ０方向から見た説明図である。
【図２１】図４の屋根フレームの矢印Ｇの部分の拡大説明図である。
【図２２】図２１の矢印Ｇ０−Ｇ０線に沿う断面図である。
【図２３】図２１の矢印Ｇ１−Ｇ１線に沿う断面図である。
【図２４】（ａ）は図３に示した床フレームの下接続梁の平面図、（ｂ）は（ａ）の左側面図、（ｃ）は（ａ）を矢印Ｈ１方向から見た説明図、（ｄ）は（ｂ）の上端面図である。
【図２５】（ａ）は図４に示した屋根フレームの上接続梁の平面図、（ｂ）は（ａ）の左側面図、（ｃ）は（ａ）を矢印Ｈ２方向から見た説明図、（ｄ）は（ｂ）の上端面図である。
【図２６】図２に示した付帯構造物の変形例を示す斜視図である。
【図２７】（ａ）はこの発明に係る実施例２の建物用付帯構造物を備えるユニット建物の概略平面図、（ｂ）は（ａ）の付帯構造物の分解斜視図、（ｃ）は（ｂ）の各部品を組み付けた付帯構造物のの斜視図である。
【図２８】図２７の付帯構造物の変形例を示す説明図で、（ａ）は付帯構造物の分解斜視図、（ｂ）は（ａ）の各部品を組み付けた付帯構造物のの斜視図である。
【図２９Ａ】ユニット建物と付帯構造物の形状例を示す説明図である。
【図２９Ｂ】ユニット建物と付帯構造物の他の形状例を示す説明図である。
【発明を実施するための形態】
【００１２】
以下、この発明に係る建物用付帯構造物を図面に基づいて説明する。
[実施例１]
図１は、この発明に係る実施例１の建物用付帯構造物を備えるユニット建物の概略平面図である。この図１においてユニット建物１は、並設された複数の建物ユニット２と、建物ユニット２の一つに設けられる建物用付帯構造物３を備えている。
【００１３】
この建物ユニット２は、図２に示したように４隅の支柱２ａと、支柱２ａ，２ａの妻側の下端部間を連結する妻下梁２ｂと、支柱２ａ，２ａの妻側の上端部間を連結する妻上梁２ｃを有する。２ｄは支柱２ａの下端部に連結された桁下梁、２ｅは支柱２ａの上端部に連結された桁上梁である。このような、複数の支柱２ａ，妻下梁２ｂ，妻上梁２ｃ，桁下梁２ｄ，桁上梁２ｅは箱形の構造体を形成している。この構成は周知の構造が採用できるので、詳細な説明は省略する。
【００１４】
この建物用付帯構造物３は、図２に示した口型垂直フレーム（方形状縦枠）４、下接続梁５、上接続梁６、中柱７、中間補強梁８ａ，８ｂ、下端部補強梁９、上端部補強梁１０を有する。
＜口型垂直フレーム４＞
この口型垂直フレーム４は、図２，図５に示したように、左右に間隔をおいて平行に配設された一対の縦枠部材１１，１１（図６参照）と、縦枠部材１１，１１の下端部間に配設された下横枠部材（下梁）１２と、両端部が縦枠部材１１，１１の上端部間に配設された上横枠部材（上梁）１３を備えている。この下横枠部材１２は図８に示したように断面形状がＣ字状に形成され、上横枠部材１３は図７に示したように断面形状がＣ字状に形成されている。
【００１５】
また、各縦枠部材１１は、図２，図６，図１７に示したように、互いに所定角度（図２では鈍角）を為す縦外側壁１１ａ，１１ｂを有する。更に、縦枠部材１１は，図６，図１７に示したように、縦外側壁１１ａ，１１ｂの互いに反対側の縁部にそれぞれ垂直に連設された枠部材固定壁１１ｃおよび梁取付壁１１ｄを有する。
【００１６】
しかも、縦枠部材１１は，図９に示したように縦外側壁１１ａ，１１ｂ，枠部材固定壁１１ｃおよび梁取付壁１１ｄの下端に溶接等により一体に設けられた下補強板（補強材）１１ｅを有する（図１０参照）。また、縦枠部材１１は，図１７に示したように縦外側壁１１ａ，１１ｂ，枠部材固定壁１１ｃおよび梁取付壁１１ｄの上端に溶接等により一体に設けられた上補強板（補強材）１１ｆを有する（図１８参照）。
【００１７】
そして、縦枠部材１１，１１の枠部材固定壁１１ｃ，１１ｃは互いに対向させられている。この枠部材固定壁１１ｃ，１１ｃの下端部には下横枠部材１２の両端部が溶接等により剛接合され、この枠部材固定壁１１ｃ，１１ｃの上端部には上横枠部材１３の両端部が溶接等により剛接合されている。これにより、縦枠部材１１，１１，下横枠部材１２及び上横枠部材１３は、図２に示したように口型（方形枠状）に形成されている。
【００１８】
図１０において、１４は付帯構造物用の基礎、１５は基礎１４から突出するアンカーボルトである。このアンカーボルト１５は縦枠部材１１の下補強板１１ｅを貫通していて、このアンカーボルト１５に螺着した固定ナット１６を締め付けることにより、縦枠部材１１が基礎１４上に垂直に固定されている。アンカーボルト１５と固定ナット１６は固定手段を構成している。
＜下接続梁５＞
図２４（ａ）は図２に示した床フレームの下接続梁５の平面図、図２４（ｂ）は図２４（ａ）の左側面図、図２４（ｃ）は図２４（ａ）を矢印Ｈ１方向から見た説明図、図２４（ｄ）は図２４（ｂ）の上端面図である。
【００１９】
この下接続梁５は、図２，図３，図２４（ａ）に示したように直線部５ａ，５ｂから平面形状がくの字状に形成されている。尚、下接続梁５は断面がＣ字状の部材から形成されている。
【００２０】
この下接続梁５は図３に示したように口型垂直フレーム４の左右に互いに逆向で配設されている。また、図３に示した左右の下接続梁５，５の直線部５ａ，５ａは、口型垂直フレーム４の下横枠部材１２の両端から建物ユニット２側に拡開するように傾斜して延びている。更に、左右の下接続梁５，５の直線部５ｂ，５ｂは、直線部５ａ，５ａから建物ユニット２側に互いに平行に延びている。
【００２１】
また、直線部５ａ，５ａには中間補強梁８ａの両端部に一体に設けた結合部材８ａ１，８ａ１が結合固定され、直線部５ｂ，５ｂには中間補強梁８ｂの両端部に一体に設けた結合部材８ｂ１，８ｂ１が結合固定されている。
【００２２】
結合部材８ａ１は、図１５に示したように先端が直線部５ｂの傾斜する方向に傾斜する先端を有すると共に、図１６に示したようにＣ字状に形成されている。また、結合部材８ａ１は、中間補強梁８ａの下面が結合部材８ａ１の下面より上側にずれるように、中間補強梁８ａに固定されている。
【００２３】
これにより、中間補強梁８ａと基礎１４との間に隙間が形成されて、中間補強梁８ｂは基礎１４から浮いた状態となっている。尚、図示は省略したが、中間補強梁８ｂと結合部材８ｂ１の固定関係も中間補強梁８ａと結合部材８ａ１の固定関係と同じようになっている。
【００２４】
更に、下接続梁５の直線部５ａの端部には、図９，図１０に示したように端壁５ａ１が設けられている。また、下接続梁５の直線部５ｂの端部には、図１３，図１４に示したように端壁５ｂ１が一体に設けられていると共に、内側に突出する接続部材１７が溶接固定により一体に設けられている。
【００２５】
そして、端壁５ａ１は、図９，図１０に示したように、端壁５ａ１および口型垂直フレーム４の梁取付壁１１ｄを貫通する固定ボルト（ピン状接続部材）１８と、この固定ボルト１８に螺着された固定ナット１９で、梁取付壁１１ｄの下端部に着脱可能に固定されている。固定ボルト１８と固定ナット１９は固定手段を構成している。
【００２６】
また、図１３，図１４に示したように接続部材１７には下端部補強梁９の端壁９ａが固定ボルト（ピン状接続部材）２０と固定ナット２１により着脱可能に取り付けられている。固定ボルト２０と固定ナット２１は固定手段を構成している。
【００２７】
尚、口型垂直フレーム４の下横枠部材１２，下接続梁５，５，中間補強梁８ａ，８ｂ及び下端部補強梁９等は図２，図３に示した床フレームＦ１を構成しているので、床フレームＦ１は歪みにくい構造となっている。しかも、口型垂直フレーム４の縦枠部材１１が基礎１４上にアンカーボルト１５と固定ナット１６により固定されていると共に、下接続梁５，５が基礎上に載置されている。従って、下接続梁５の端壁５ｂ１を図１３に示したように建物ユニット２の支柱２ａにスペーサＳｐ１を介して押し付けた状態で、縦枠部材１１を基礎１４に固定することにより、下端部補強梁９と建物ユニット２の妻下梁２ｂとの位置決が行われるので、下接続梁５や下端部補強梁９を支柱２ａや妻下梁２ｂに固定していない。
＜上接続梁６＞
図２５（ａ）は図４に示した屋根フレームの上接続梁６の平面図、図２５（ｂ）は図２５（ａ）の左側面図、図２５（ｃ）は図２５（ａ）を矢印Ｈ２方向から見た説明図、図２５（ｄ）は図２５（ｂ）の上端面図である。
【００２８】
この上接続梁６は図２，図４，図２５（ａ）に示したように直線部６ａ，６ｂから平面形状がくの字状に形成されている。尚、上接続梁６は断面がＣ字状の部材から形成されている。
【００２９】
この上接続梁６は図４に示したように口型垂直フレーム４の左右に互いに逆向で配設されている。また、図４に示した左右の上接続梁６，６の直線部６ａ，６ａは、口型垂直フレーム４の上横枠部材１３の両端から建物ユニット２側に拡開するように傾斜して延びている。更に、左右の上接続梁６，６の直線部６ｂ，６ｂは、直線部６ａ，６ａから建物ユニット２側に互いに平行に延びている。
【００３０】
また、上接続梁６の直線部６ａの端部には、図１７，図１８に示したように端壁６ａ１が設けられている。更に、上接続梁６の直線部６ｂの端部には、図２１に示したように端壁６ｂ１が一体に設けられていると共に、図２１，図２２に示したように内側に位置させた接続部材（接続板）２２が溶接固定により一体に設けられている。
【００３１】
そして、端壁６ａ１は、図１７，図１８に示したように端壁６ａ１および口型垂直フレーム４の梁取付壁１１ｄを貫通する固定ボルト（ピン状接続部材）２３と、この固定ボルト２３に螺着された固定ナット２４で、梁取付壁１１ｄの上端部に着脱可能に固定されている。固定ボルト２３と固定ナット２４は固定手段を構成している。
【００３２】
更に、図２１に示したように、接続部材２２には上端部補強梁１０の端壁１０ａが固定ボルト（ピン状接続部材）２５と固定ナット２６により着脱可能に取り付けられている。固定ボルト２５と固定ナット２６は固定手段を構成している。この上端部補強梁１０は、図２１，図２３に示したように、固定ボルト（ピン状接続部材）２７，固定ナット２８で建物ユニット２の妻上梁２ｃに取り付けられている。固定ボルト２７と固定ナット２８は固定手段を構成している。
【００３３】
尚、図２１に示したように、上接続梁６の端壁６ｂ１と建物ユニット２の支柱２ａとの間にはスペーサＳｐ２が介装され、上端部補強梁１０と建物ユニット２の妻上梁２ｃとの間にはスペーサＳｐ３（図２３参照）が介装されている。また、口型垂直フレーム４の上横枠部材１３，上接続梁６，６および上端部補強梁１０は図2，図４に示した屋根フレームＦ２を構成している。
＜中柱７＞
下接続梁５は図２，図３に示したように直線部５ａ，５ｂが鈍角で連設された折曲部Ｐ１（図11，図１２参照）を有し、上接続梁６は図２，図４に示したように直線部６ａ，６ｂは鈍角で連設された折曲部Ｐ２（図1９，図２０参照）を有する。
【００３４】
この下接続梁５の折曲部Ｐ１と上接続梁６の折曲部Ｐ２との間には、図２に示したように中柱７が介装されている。この中柱７は、図１１、図１９に示したように所定の角度を為して連設された外側壁７ａ，７ｂと、外側壁７ａ，７ｂから垂直に内側に折り曲げられた支持壁７ｃ、７ｄを有する。また、中柱７は、図１１、図１２に示したように下端に下壁（下取付壁）７ｅを有すると共に、図１９、図２０に示したように上端に上壁（上取付壁）７ｆを有する。
【００３５】
そして、下壁７ｅは図11，図１２に示したように固定手段である固定ボルト（ピン状接続部材）２９及び固定ナット３０で下接続梁５の折曲部Ｐ１の両側の部分に固定され、上壁７ｆは図２０に示したように固定手段である固定ボルト（ピン状接続部材）３１及び固定ナット３２で上接続梁６の折曲部Ｐ２の両側の部分に固定されている。
＜設置現場での組付等＞
このような構成においては、口型垂直フレーム４を工場等で予め組み付けておき、この口型垂直フレーム４を設置現場まで搬送して、口型垂直フレーム４の縦枠部材１１，１１の下補強板１１ｅを図１０に示したようにアンカーボルト１５および固定ナット１６で基礎１４上に固定する。
【００３６】
一方、図３に示したように下接続梁５，５を口型垂直フレーム４の縦枠部材１１，１１と建物ユニット２の支柱２ａ，２ａとの間に配設する。そして、左右の下接続梁５，５の直線部５ａ，５ａ間に中間補強梁８ａを介装すると共に、左右の下接続梁５，５の直線部５ｂ，５ｂ間に中間補強梁８ｂを介装する。また、直線部５ｂ，５ｂの端部間に下端部補強梁９を介装する。尚、中間補強梁８ａ，８ｂおよび下端部補強梁９は予め工場等において左右の下接続梁５，５間に組み付けておいても良い。
【００３７】
そして、各下接続梁５の一端を図9，図１０に示したように口型垂直フレーム４の縦枠部材１１の梁取付壁１１ｄに固定ボルト（ピン状接続部材）１８，固定ナット１９で固定（ピン接合）する。また、各中柱７の下壁７ｅを図１２に示したように下接続梁５，５に折曲部Ｐ１，Ｐ１の部分の両側に位置させて固定ボルト（ピン状接続部材）２９と固定ナット３０で固定する。
【００３８】
尚、下接続梁５の一端と梁取付壁１１ｄは、リベット等のピン状接続部材でピン接合することにより、固定するようにしても良い。
【００３９】
次に、図21，図２３に示したように、上端部補強梁１０を建物ユニット２の妻上梁２ｃに固定ボルト２７と固定ナット２８で固定し、口型垂直フレーム４の縦枠部材１１の上端部と建物ユニット２の支柱２ａの上端部との間に上接続梁６を破折する。この際、上接続梁６を中柱7の上に位置させると共に、上接続梁６のの接続部材１７を上端部補強梁１０の端部に突き合わせる。この状態で、上端部補強梁１０を図２１に示したように上接続梁６側の接続部材１７に固定ボルト（ピン状接続部材）２５と固定ナット２６で固定し、図２０に示したように中柱７の上壁７ｆを上接続梁６に固定ボルト（ピン状接続部材）３１および固定ナット３２で固定する。また、図17，図１８に示したように、上接続梁６の直線部６ａの端部を口型垂直フレーム４の縦枠部材１１に固定ボルト（ピン状接続部材）23および固定ナット２４で固定（ピン接合）する。尚、上接続梁６の一端と梁取付壁１１ｄは、リベット等のピン状接続部材でピン接合することにより、固定するようにしても良い。
（変形例）
上述した実施例１では下端部補強梁９および上端部補強梁１０を設けているが、下端部補強梁９および上端部補強梁１０は必ずしも設ける必要はない。図２６はその例を示したものである（図２９Ａの「４．六角形（その１）」を参照）。他の構成は上述した実施例と同じであるので、同じ符号を付してその説明は省略する。なお、この変形例では、上接続梁６，６の直線部６ｂ，６ｂの端部を図２の建物ユニット２の支柱２ａの上端部に図示しない固定ボルト（ピン状接続部材）等で固定する。
[実施例２]
図２７（ａ）はこの発明に係る実施例２の建物用付帯構造物３ａを備えるユニット建物の概略平面図、図２７（ｂ）、（ｃ）は図２７（ａ）の付帯構造物の説明図である。
【００４０】
この実施例２の建物用付帯構造物３ａは、口型垂直フレーム４０と、２つ（複数）の直線梁である下接続梁４１，４１と、２つ（複数）の直線梁である上接続梁４２，４２を備えている。この口型垂直フレーム４０は、縦枠部材４０ａ，４０ａ、下横枠部材（下梁）４０ｂ、上横枠部材（上梁）４０ｃを、工場等で口型に剛接合することにより形成したものである（図２９Ａの「１．四角形」を参照）。
【００４１】
この口型垂直フレーム４０の縦枠部材４０ａの下端部は、設置現場において図示しない基礎のアンカーボルトに固定される。また、この口型垂直フレーム４０の縦枠部材４０ａの上下端部には、設置現場において、下接続梁４１および上接続梁４２の一端部が図示しない固定ボルト（ピン状接続部材）および固定ナット等の固定手段で取り付けられる。また、下接続梁４１および上接続梁４２の他端部は、設置現場において図示しない建物ユニットの支柱に図示しない固定ボルト（ピン状接続部材）および固定ナット等の固定手段で取り付けられる。
（変形例）
図２８は図２７の付帯構造物の変形例を示す説明図で、図２８（ａ）は付帯構造物の分解斜視図、図２８（ｂ）は図２８（ａ）の各部品を組み付けた付帯構造物のの斜視図である。
【００４２】
この変形例では、下端部補強梁４３および上端部補強梁４４を設けている。そして、図２８（ｂ）に示したように、下端部補強梁４３を下接続梁４１，４１間に介装し、上端部補強梁４４を上接続梁４２，４２間に介装した構成としている。
（その他１）
図２９Ａ，図２９Ｂは、ユニット建物と付帯構造物の平面での形状例示した説明図で、軒元柱なし：Ｘ１（左側）と、軒元柱あり：Ｘ２（右側）を示したものである。
（軒元柱なし：Ｘ１）
図２９Ａの「１．四角形」は、図２７の実施例２の建物用付帯構造物３ａと建物ユニット２との関係を示したものである。
【００４３】
図２９Ａの「２．平行四辺形」は、図２９Ａの「１．四角形」における建物用付帯構造物３ａを平面形状が平行四辺形となるように各部品の寸法を設定したものである。
【００４４】
また、図２９Ａの「３．台形」は、図２９Ａの「１．四角形」における建物用付帯構造物３ａを平面形状が台形となるように各部品の寸法を設定したものである。
【００４５】
図２９Ａの「４．六角形（その１）」は、実施例１の変形例を示したものである。
【００４６】
図２９Ｂの「５．六角形（その2）」は、図２９Ａの「１．四角形」における建物用付帯構造物３ａの上横枠部材４０ｃ（下横枠部材４０ｂ）の平面形状を折曲して、上横枠部材４０ｃ′（下横枠部材４０ｂ′）とすることにより、上横枠部材４０ｃ′（下横枠部材４０ｂ′）と縦枠部材４０ａ，４０ａから口型垂直フレーム４０′を形成して、建物用付帯構造物３ａの平面形状が六角形になるように構成したものである。
【００４７】
図２９Ｂの「６．連続（台形）」は、図２９Ａの「１．四角形」における建物用付帯構造物３ａの上横枠部材４０ｃ（下横枠部材４０ｂ）を短くすると共に、上接続梁４２，４２（下接続梁４１，４１）の一方を他方より長く形成して、平面形状が台形となるようにしたものである。
【００４８】
図２９Ｂの「７．連続（五角形）」は、図２９Ａの「１．四角形」における建物用付帯構造物３ａの上横枠部材４０ｃ（下横枠部材４０ｂ）を短くすると共に、上接続梁４２，４２（下接続梁４１，４１）の一方をくの字状に折曲することにより、一方をくの字状の上接続梁４２′（下接続梁４１′）として、直線梁である上接続梁４２（下接続梁４１）とくの字状の上接続梁４２′（下接続梁４１′）から平面形状が互角形となるようにしたものである。
（軒元柱あり：Ｘ２）
この（軒元柱あり：Ｘ２）は（軒元柱なし：Ｘ１）の建物用付帯構造物３ａ，４０のユニット建物１側端部に支柱５０を設けて、この支柱５０をユニット建物１の支柱２ａに沿わせるようにしたものである。
（その他２）
尚、２つの部材を固定（ピン接合）する固定ボルト（ピン状接続部材）１８，２０，２３，２５，２７，２９，３１は、リベット等のピン状接続部材に代えることができる。
＜補足説明１＞
この発明の実施の形態の建物用付帯構造物（３，３ａ）は、ユニット建物１を構成する直方体状の建物ユニット２の１つの立面に連結されて、該建物ユニット２の内部空間を拡大させるのに用いられる。この建物用付帯構造物は、４本の枠部材（１１，１１，１２，１３又は４０ａ，４０ａ，４０ｂ，４０ｃ）を口型に剛接合することにより形成した口型垂直フレーム（４又は４０）と、少なくとも前記口型垂直フレーム（４、４０）の四隅を前記建物ユニット２の前記１つの立面に連接する接続梁（５，６又は４１，４２）と、前期接続梁（５，６又は４１，４２）を前記建物ユニット２及び前記口型垂直フレーム（４又は４０）にピン接合させるピン状接続部材（１８，２３、２７）を有する。
【００４９】
この構成によれば、様々な形状の建物用付帯構造物（３，３ａ）をユニット建物１に設ける際の柔軟性があると共に、様々な形状の建物用付帯構造物（３，３ａ）を建物ユニット２に設けることにより、ユニット建物１の外観を向上させることができる。
＜補足説明２＞
また、この発明の実施の形態の建物用付帯構造物（３ａ）は、前記接続梁は、口型垂直フレーム４０と直角に接合する直線梁４１，４２である。
【００５０】
この構成によれば、建物用付帯構造物（３ａ）を直方体状に形成して、ユニット建物１の外観を向上させることができる。
＜補足説明３＞
また、この発明の実施の形態の建物用付帯構造物（３ａ）は、前記接続梁は、口型垂直フレーム４０と斜めに接合する直線梁４１，４２である。
【００５１】
この構成によれば、建物用付帯構造物（３ａ）の平面形状を台形状に形成して、ユニット建物１の外観を向上させることができる。
＜補足説明４＞
また、この発明の実施の形態の建物用付帯構造物（３，３ａ）は、前記接続梁は、屈曲した梁（５，６又は４１′，４２′）である。
【００５２】
この構成によれば、建物用付帯構造物（３ａ）の平面形状を５角形状より多い多角形状に形成して、ユニット建物１の外観を向上させることができる。
＜補足説明５＞
また、この発明の実施の形態の建物用付帯構造物（３ａ）は、前記接続梁は、口型垂直フレーム４０と直角に接合する直線梁４２（４１）と斜めに接合する直線梁４２（４１）である。
【００５３】
この構成によれば、建物用付帯構造物（３ａ）の平面形状を台形状に形成して、ユニット建物１の外観を向上させることができる。
＜補足説明６＞
また、この発明の実施の形態の建物用付帯構造物（３ａ）は、前記接続梁は、口型垂直フレーム４０と直角に接合する直線梁（４１、４２）と屈曲した梁（４１′、４２′）である。
【００５４】
この構成によれば、建物用付帯構造物（３ａ）の平面形状を５角形状より多い多角形状に形成して、ユニット建物１の外観を向上させることができる。
＜補足説明７＞
また、この発明の実施の形態の建物用付帯構造物（３）において、前記口型垂直フレーム４は五角形型の補強材（１１ｅ，１１ｆ）が設けられたジョイント部材（縦枠部材１１）を備え、前記屈曲した接続梁（５，６）は前記ジョイント部材（縦枠部材１１）とピン接合する。
【００５５】
この構成によれば、口型垂直フレーム４をジョイント部材（縦枠部材１１）で補強できるので、このジョイント部材（縦枠部材１１）に接続される接続梁（５，６）を口型垂直フレーム４に堅固に固定できる。
＜補足説明８＞
また、この発明の実施の形態のユニット建物１は、請求項１〜７のいずれか一つに記載の建物用付帯構造物３，３ａを使用している。
【００５６】
この構成によれば、補足説明１〜７に説明した効果を有するユニット建物１を提供できる。
【符号の説明】
【００５７】
１  ユニット建物
２  建物ユニット
３  建物用付帯構造物
３ａ  建物用付帯構造物
４  口型垂直フレーム（方形状縦枠）
６  上接続梁
１１  縦枠部材
１２  下横枠部材（下梁）
１３  上横枠部材（上梁）
１８  固定ボルト（ピン状接続部材）
２３  固定ボルト（ピン状接続部材）
２７  固定ボルト（ピン状接続部材）
２８  固定ボルト（ピン状接続部材）
４０  口型垂直フレーム
４１  下接続梁（直線量梁）
４２  上接続梁（直線量梁）
【図１】
2014163172.tif 000003
【図２】
2014163172.tif 000004
【図３】
2014163172.tif 000005
【図４】
2014163172.tif 000006
【図５】
2014163172.tif 000007
【図６】
2014163172.tif 000008
【図７】
2014163172.tif 000009
【図８】
2014163172.tif 000010
【図９】
2014163172.tif 000011
【図１０】
2014163172.tif 000012
【図１１】
2014163172.tif 000013
【図１２】
2014163172.tif 000014
【図１３】
2014163172.tif 000015
【図１４】
2014163172.tif 000016
【図１５】
2014163172.tif 000017
【図１６】
2014163172.tif 000018
【図１７】
2014163172.tif 000019
【図１８】
2014163172.tif 000020
【図１９】
2014163172.tif 000021
【図２０】
2014163172.tif 000022
【図２１】
2014163172.tif 000023
【図２２】
2014163172.tif 000024
【図２３】
2014163172.tif 000025
【図２４】
2014163172.tif 000026
【図２５】
2014163172.tif 000027
【図２６】
2014163172.tif 000028
【図２７】
2014163172.tif 000029
【図２８】
2014163172.tif 000030
【図２９Ａ】
2014163172.tif 000031
【図２９Ｂ】
2014163172.tif 000032